(57)【要約】【課題】複数の視聴者が視聴を中断した場合において、未だ視聴を中断していない他の視聴者の利便性を有するとともに、視聴を中断した視聴者に対しても利便性を有する記録媒体再生装置を提供する。【解決手段】記録媒体再生装置２０は、再生コンテンツに対する複数の視聴者がそれぞれ視聴状態かまたは非視聴状態かを、前記複数の視聴者についての撮影画像に基づいて判定する状態判定部３４を備える。記録媒体再生装置２０は、複数の視聴者が全て非視聴状態の判定のときには、全て非視聴状態になったときの再生コンテンツの再生位置を記憶部４４に記憶させ、少なくとも１人の視聴者が視聴状態のときは、記録媒体再生部５０の前記再生コンテンツの再生の継続を許容する制御部４２を備える。【選択図】図２
2019110397.tif 000002
【特許請求の範囲】
【請求項１】
再生コンテンツに対する複数の視聴者がそれぞれ視聴状態かまたは非視聴状態かを、前記複数の視聴者についての撮影画像に基づいて判定する状態判定部と、
前記複数の視聴者が全て非視聴状態の判定のときには、全て非視聴状態になったときの前記再生コンテンツの再生位置を記憶部に記憶させ、少なくとも１人の視聴者が視聴状態のときは、記録媒体再生部の前記再生コンテンツの再生の継続を許容する記録媒体再生制御部とを備えた記録媒体再生装置。
【請求項２】
前記記録媒体再生制御部は、前記状態判定部による非視聴状態の判定がされる毎に、その非視聴状態の判定がされたときの、前記再生コンテンツの再生位置を記憶部に記憶させる請求項１に記載の記録媒体再生装置。
【請求項３】
前記記録媒体再生制御部は、前記複数の視聴者が全て非視聴状態の判定のときには、前記記録媒体再生部の再生を停止させる請求項１または請求項２に記載の記録媒体再生装置。
【請求項４】
前記記録媒体再生制御部は、前記記録媒体再生部に対する前記再生コンテンツの再生の開始前に、前記記憶部に、前記再生コンテンツの再生位置が記憶されている場合は、再生位置が記憶されている旨の履歴情報を、前記再生コンテンツの画像を表示する表示部に表示する請求項１乃至請求項３のうち、いずれか１項に記載の記録媒体再生装置。
【発明の詳細な説明】
【技術分野】
【０００１】
本発明は、記録媒体再生装置に関する。
【背景技術】
【０００２】
ＤＶＤ等の記憶媒体に記録されているコンテンツを再生装置にて再生中に、視聴者の視聴が中断されて、その後、視聴が再開される場合、視聴が中断された時点のコンテンツの再生位置から、コンテンツの視聴を再開できるようにした視聴中断位置記憶装置が提案されている（特許文献１）。
【先行技術文献】
【特許文献】
【０００３】
【特許文献１】特開２００５−２１８０２５号公報
【発明の概要】
【発明が解決しようとする課題】
【０００４】
特許文献１では、視聴者が１人の場合が想定されている。１人の視聴者の場合は、視聴を中断した場合は、その１人の視聴者に対しては、視聴が中断した位置から再生できることに、利便性がある。しかし、視聴者が２人以上の場合、それぞれの視聴者がそれぞれ視聴を中断した場合についての対処の方法は開示されていない。
【０００５】
本発明の目的は、複数の視聴者が視聴をそれぞれ中断した場合において、未だ視聴を中断していない他の視聴者の利便性を有するとともに、視聴を中断した視聴者に対しても利便性を有する記録媒体再生装置を提供することにある。
【課題を解決するための手段】
【０００６】
上記問題点を解決するために、本発明の記録媒体再生装置は、再生コンテンツに対する複数の視聴者がそれぞれ視聴状態かまたは非視聴状態かを、前記複数の視聴者についての撮影画像に基づいて判定する状態判定部と、前記複数の視聴者が全て非視聴状態の判定のときには、全て非視聴状態になったときの前記再生コンテンツの再生位置を記憶部に記憶させ、少なくとも１人の視聴者が視聴状態のときは、記録媒体再生部の前記再生コンテンツの再生の継続を許容する記録媒体再生制御部とを備えているものである。
【０００７】
また、前記記録媒体再生制御部は、前記状態判定部による非視聴状態の判定がされる毎に、その非視聴状態の判定がされたときの、前記再生コンテンツの再生位置を記憶部に記憶させてもよい。
【０００８】
また、前記記録媒体再生制御部は、前記複数の視聴者が全て非視聴状態の判定のときには、前記記録媒体再生部の再生を停止させてもよい。
また、前記記録媒体再生制御部は、前記記録媒体再生部に対する前記再生コンテンツの再生の開始前に、前記記憶部に、前記再生コンテンツの再生位置が記憶されている場合は、再生位置が記憶されている旨の履歴情報を、前記再生コンテンツの画像を表示する表示部に表示することが好ましい。
【発明の効果】
【０００９】
本発明によれば、複数の視聴者が視聴をそれぞれ中断した場合において、未だ視聴を中断していない他の視聴者の利便性を有するとともに、視聴を中断した視聴者に対しても利便性を有することができる効果を奏する。
【図面の簡単な説明】
【００１０】
【図１】本発明の記録媒体再生装置を車両に搭載した一実施形態の概念図。
【図２】記録媒体再生装置の電気ブロック図。
【図３】記録媒体再生装置が行う視聴者の状態判定処理プログラムのフローチャート。
【図４】記録媒体再生装置が行う起動時処理プログラムのフローチャート。
【発明を実施するための形態】
【００１１】
図１〜図４を参照して、本発明の記録媒体再生装置を具体化した一実施形態を説明する。
図１に示すように、車両１０の車室内には、前から後にかけて順に運転席及び助手席を含む１列目シート１２、２列目シート１３及び３列目シート１４を備えている。図１に示すように車室の天井１１には、表示部としてのディスプレイ１５、記録媒体再生装置２０及び動画を撮像可能なカメラ１７が設けられている。カメラ１７は、２列目シート１３及び３列目シート１４にそれぞれ着座する乗員Ｈ１、Ｈ２に向けて配置され、両乗員Ｈ１、Ｈ２の顔を撮像可能な画角を有している。
【００１２】
（電気的構成）
図２に示すように、記録媒体再生装置２０は、認識ＥＣＵ３０、表示コントローラユニット４０、及び記録媒体再生部５０を備えている。認識ＥＣＵ３０は、状態判定部に相当し、制御部４２は、記録媒体再生制御部に相当する。
【００１３】
認識ＥＣＵ３０は、画像処理部３２と状態判定部３４を備えている。画像処理部３２は、カメラ１７が撮像した動画のフレーム毎に、画像処理を行う。状態判定部３４は、フレーム毎の画像処理後の画像データに基づいて、２列目シート１３及び３列目シート１４に着座する乗員（すなわち、視聴者）がそれぞれディスプレイ１５で表示している再生コンテンツを視聴している視聴状態か、或いは、視聴していない非視聴状態かのいずれかの状態判定を行う。
【００１４】
＜目を含む顔画像が得られない場合＞
状態判定部３４は、画像処理部３２からの画像処理後の画像データに対して顔画像の有無の検出を行う。
【００１５】
例えば、乗員がカメラ１７に対して横向きで、目を含む顔画像が得られない場合、或いは、顔にハンカチ等が被せられて顔画像が得られない場合がある。これらの場合は、乗員は非視聴状態となる。
【００１６】
＜目を含む顔画像が得られた場合＞
目を含む顔画像が一つ以上ある場合、状態判定部３４は顔画像の目の領域から、視線検出を行う。
【００１７】
視線検出は、種々の方法が公知となっていて、詳細な説明は省略するが、代表的な視線検出方法は、下記の通りである。
（１）目の領域において、基準点を目頭とし、動点を虹彩にして、動点と基準点の位置関係に基づいて視線を検出する方法。
【００１８】
（２）目の領域において、基準点を角膜反射の領域とし、動点を瞳孔にして、動点と基準点の位置関係に基づいて視線を検出する方法。
（３）目の領域において、瞳領域と、瞳孔領域の位置関係に基づいて視線を検出する方法。
【００１９】
上記（１）と（３）では、カメラ１７は、可視光を撮像するタイプのものでよい。また、上記（２）の視線検出方法では、カメラ１７は、乗員Ｈ１、Ｈ２に対して赤外線を投光する図示しない赤外線投光器を備えた赤外線カメラとすることが好ましい。
【００２０】
上記のいずれの方法により、状態判定部３４は、複数の乗員の視線検出をそれぞれ行う。
状態判定部３４によるフレーム毎の各乗員の状態判定が検出した視線がディスプレイ１５を向いている場合は、視聴状態と判定し、向いていない場合は、非視聴状態と判定する。
【００２１】
状態判定部３４は、各乗員について視聴状態が非視聴状態を判定した状態判定の結果を表示コントローラユニット４０に出力する。
表示コントローラユニット４０は、制御部４２と記憶部４４を備えている。記憶部４４は、例えば、不揮発性メモリからなり、記録媒体再生装置２０の電源をオフした場合においても、記憶したデータが消滅することがないようにされている。
【００２２】
制御部４２は、記録媒体再生部５０を制御することにより、記録媒体再生部５０を駆動して記憶媒体、例えば、ＤＶＤ、ブルーレイディスク等が格納しているコンテンツの再生等を行わせて、ディスプレイ１５及び図示しないスピーカにそのコンテンツの画像及び音声を出力させる。また、制御部４２は、コンテンツの再生中に認識ＥＣＵ３０からの各乗員の状態判定の結果が非視聴状態とする判定があったときは、その非視聴状態が合ったときの、コンテンツの再生位置を記憶部４４に記憶する。
【００２３】
また、制御部４２は、コンテンツの再生中に認識ＥＣＵ３０からの複数の乗員の状態判定の結果が全て非視聴状態とする判定があったときは、コンテンツの再生を停止させ、そのときの再生位置を記憶部４４に記憶する。なお、前記記憶部４４へ記憶する処理の詳細は、実施形態の作用で説明する。
【００２４】
（実施形態の作用）
図３及び図４を参照して、上記のように構成された記録媒体再生装置２０の作用を説明する。
【００２５】
なお、説明の便宜上、認識ＥＣＵ３０の画像処理部３２が入力した画像データには、複数の乗員が映っているものとする。
図３は、表示コントローラユニット４０の記録媒体再生部５０がコンテンツを再生しているときに、制御部４２が実行する視聴者の状態判定処理プログラムのフローチャートである。
【００２６】
Ｓ１０では、制御部４２は、状態判定部３４からの状態判定の結果を入力する。
Ｓ２０では、制御部４２は、前記状態判定の結果から、視聴中断状態があったか否かを判定する。複数の乗員のうち、少なくとも１人の非視聴状態があった場合、制御部４２は、「ＹＥＳ」と判定して、Ｓ３０に移行し、前記単数の乗員が視聴状態の場合及び複数の乗員が全て視聴状態の場合、「ＮＯ」と判定して、Ｓ１０に戻る。
【００２７】
Ｓ３０では、制御部４２は、「再生位置記憶」処理を行う。具体的には、制御部４２は、前記少なくとも１人の非視聴状態があったと判定したときにディスプレイ１５に表示していた再生コンテンツの再生位置を記憶部４４に記憶する。
【００２８】
Ｓ４０では、制御部４２は、「全員視聴中断」処理を行う。すなわち、制御部４２は、複数の乗員の全員が、非視聴状態となっていて視聴中断となっているか否かを判定する。少なくとも１人が視聴状態がある場合は、制御部４２は、「ＮＯ」と判定し、Ｓ１０に戻る。また、複数の乗員の全員が、非視聴状態となっていて視聴中断となっている場合は、制御部４２は、「ＹＥＳ」と判定して、Ｓ５０に移行する。
【００２９】
Ｓ５０では、制御部４２は、記録媒体再生部５０を制御して停止する。
Ｓ６０では、制御部４２は、記録媒体再生部５０を停止したときの、再生コンテンツの位置をレジューム機能の再生位置として記憶部４４に記憶する。
【００３０】
Ｓ７０では、制御部４２は、記録媒体再生装置２０、記録媒体再生部５０及びディスプレイ１５の電源をオフし、このフローチャートの処理を終了する。
なお、上記の説明では、認識ＥＣＵ３０の画像処理部３２が入力した画像データには、複数の乗員が映っているものとしたが、１人の乗員のみが、前記画像データに映っていて、Ｓ３０からＳ４０に移行した場合、制御部４２は、Ｓ４０での「全員視聴中断」判定を「ＹＥＳ」とし、Ｓ５０に移行する。そして、Ｓ６０での「レジューム機能の再生位置記憶」処理で記憶された再生位置は、Ｓ３０で行われた「再生位置記憶」処理で記憶された再生位置と同じとなる。
【００３１】
なお、再生コンテンツを再生中に、記録媒体再生部５０または記録媒体再生装置２０の電源がオフ操作された場合、制御部４２は、割り込みルーチンで記録媒体再生部５０を停止させ、このときの、再生コンテンツの位置をレジューム機能の再生位置として記憶部４４に記憶させた後に、電源をオフする。
【００３２】
図４は、記録媒体再生装置２０、記録媒体再生部５０及びディスプレイ１５の電源がオンとなった際に制御部４２が実行する起動時処理プログラムのフローチャートである。
Ｓ１００では、制御部４２は、記憶部４４に前記Ｓ３０で記憶した再生位置、またはレジューム機能の再生位置が記憶されているか否かを判定する。記憶部４４に前記Ｓ３０で記憶した再生位置、及びレジューム機能の再生位置がともに記憶されていない場合には、制御部４２は、「ＮＯ」と判定し、Ｓ１３０に移行する。
【００３３】
また、記憶部４４に前記Ｓ３０で記憶した再生位置、及びレジューム機能の再生位置の少なくともいずれか一方の再生位置が記憶されている場合には、「ＹＥＳ」と判定し、Ｓ１１０に移行する。
【００３４】
Ｓ１１０では、制御部４２は、ディスプレイ１５に、メニュー、及び再生位置が記憶されている旨の履歴情報としてその再生位置を表示し、いずれかの選択操作をするように乗員に促す。なお、ディスプレイ１５に表示する再生位置は、Ｓ３０で記憶された再生位置が、単数、または複数ある場合は、その単数または複数の再生位置、さらに、レジューム機能の再生位置がある場合には、その再生位置が表示される。
【００３５】
Ｓ１２０では、制御部４２は、図示しない操作手段（例えば、ディスプレイ１５の表示画面に設けられたタッチパネル、或いはリモートコントローラ）が使用されて、ディスプレイ１５に表示されたメニュー、再生位置のいずれが選択操作されたかを判定する。Ｓ１２０において、メニューが選択操作された場合、制御部４２は、「ＹＥＳ」と判定し、Ｓ１３０に移行する。
【００３６】
また、Ｓ１２０において、再生位置が選択操作された場合、制御部４２は、「ＮＯ」と判定し、Ｓ１４０に移行する。
Ｓ１３０では、制御部４２は、メニュー画面をディスプレイ１５に表示させて、このフローチャートの処理を終了する。
【００３７】
Ｓ１４０では、制御部４２は、選択された再生位置が、Ｓ３０で記憶された再生位置か否かを判定する。Ｓ３０で記憶された再生位置が選択された場合は、制御部４２は、Ｓ１５０に移行し、レジューム機能の再生位置が選択された場合は、Ｓ１６０に移行する。
【００３８】
Ｓ１５０では、制御部４２は、Ｓ３０で記憶された再生位置から再生コンテンツの再生を開始する。
Ｓ１６０では、制御部４２は、制御部４２は、レジューム機能の再生位置から再生コンテンツの再生を開始する。
【００３９】
本実施形態では、複数の乗員がともに視聴状態にあるときから、例えば１人ずつ非視聴状態になる毎に、Ｓ３０において、再生コンテンツの再生位置が記憶される。
そして、複数の乗員のうち、視聴している乗員がいる限り、再生コンテンツの再生が停止されることはない。そして、全員が非視聴状態になると、記録媒体再生装置２０、記録媒体再生部５０及びディスプレイ１５の電源がオフされる。
【００４０】
この後、再度、記録媒体再生装置２０の電源がオンされると、複数の乗員がそれぞれ視聴中断状態となる時期が異なる場合、再生コンテンツの再生位置がディスプレイ１５に表示されて、いずれかの再生位置の選択を促すようにしている。このため、複数の乗員は、選択が促された再生位置を選択することにより、希望する再生位置から再生コンテンツの再生を開始することができる。
【００４１】
本実施形態では、下記の特徴を有する。
（１）本実施形態の記録媒体再生装置２０は、再生コンテンツに対する複数の視聴者がそれぞれ視聴状態かまたは非視聴状態かを、前記複数の視聴者についての撮影画像に基づいて判定する状態判定部３４を備えている。また、記録媒体再生装置２０は、複数の視聴者が全て非視聴状態の判定のときには、全て非視聴状態になったときの再生コンテンツの再生位置を記憶部４４に記憶させ、少なくとも１人の視聴者が視聴状態のときは、記録媒体再生部５０の前記再生コンテンツの再生の継続を許容する制御部４２（記録媒体再生制御部）とを備えている。この結果、本実施形態によれば、複数の視聴者が視聴をそれぞれ中断した場合において、未だ視聴を中断していない他の視聴者の利便性を有するとともに、視聴を中断した視聴者に対しても利便性を有することができる。
【００４２】
（２）本実施形態では、制御部４２（記録媒体再生制御部）は、状態判定部３４による非視聴状態の判定がされる毎に、その非視聴状態の判定がされたときの、再生コンテンツの再生位置を記憶部４４に記憶させる。この結果、視聴者毎にその視聴者が非視聴状態になったとき、再生コンテンツの再生位置を記憶することができる。
【００４３】
（３）本実施形態では、制御部４２（記録媒体再生制御部）は、複数の視聴者が全て非視聴状態の判定のときには、記録媒体再生部５０の再生を停止させるようにしている。この結果、複数の視聴者の全ての視聴者が非視聴状態となったときは、記録媒体再生部５０の電源をオフにすることにより、節電することができる。
【００４４】
（４）本実施形態では、制御部４２（記録媒体再生制御部）は、記録媒体再生部５０に対する再生コンテンツの再生の開始前に、記憶部４４に、再生コンテンツの再生位置が記憶されている場合は、再生位置が記憶されている旨の履歴情報を、再生コンテンツの画像を表示するディスプレイ１５（表示部）に表示するようにしている。この結果、複数の視聴者に対して、各視聴者の非視聴状態となったときの再生コンテンツの再生位置を提示して、知らせることができる。
【００４５】
なお、本発明の実施形態は前記実施形態に限定されるものではなく、下記のように変更しても良い。
・前記実施形態では、車両に搭載した記録媒体再生装置２０に具体化したが、車両以外、例えば、家、劇場等の施設であってもよい。
【符号の説明】
【００４６】
１０…車両、１１…天井、１２…１列目シート、１３…２列目シート、
１４…３列目シート、１５…ディスプレイ（表示部）、１７…カメラ、
２０…記録媒体再生装置、３０…認識ＥＣＵ（状態判定部）、
３２…画像処理部、３４…状態判定部、４０…表示コントローラユニット、
４２…制御部（記録媒体再生制御部）、４４…記憶部、５０…記録媒体再生部。
【図１】
2019110397.tif 000003
【図２】
2019110397.tif 000004
【図３】
2019110397.tif 000005
【図４】
2019110397.tif 000006